(57)【要約】【課題】シート状の表示媒体が、美麗に、強固に、かつ簡単に取り付け、取り外しできるように取り付けられた防球ネットのごときネット状構造物を提供すること。【解決手段】同一形状の２枚の表示媒体である表シートと裏シートとの重ね合わされる際の対向面に、合成樹脂製の茸状突子と傘部とよりなる係合子を有する面ファスナーを取り付け、この面ファスナーで、ネット状構造物を間に挟んで前記表シートと裏シートとを係合係止させる。【選択図】図６
2004013057.tif 000002
【特許請求の範囲】
【請求項１】
同一形状の２枚のシート状の伝達、周知用の表示媒体が、重ね合わされた際の互の対向する面における少なくとも全周縁部とその近傍の対向面とに、互に係合する面ファスナーがそれぞれ固着されている前記同一形状の２枚のシート状の表示媒体を、
ネット状構造物を間に挟んで該ネット状構造物の表裏両面から重ね合わせて圧着し、
ネット状構造物の網目を通して前記面ファスナーを互に係合させ、
前記同一形状の２枚のシート状の表示媒体をネット状構造物の表裏両面に取り付ける
ネット状構造物に対するシート状の伝達、周知用の表示媒体の取付方法。
【請求項２】
同一形状の２枚のシート状の伝達、周知用の表示媒体の、重ね合わされた際に互に対向する面の全面に、互に係合係止される面ファスナーが取り付けられている、ネット状構造物に取り付けられるシート状の伝達、周知用の表示媒体。
【請求項３】
同一形状の２枚のシート状の伝達、周知用の表示媒体の、重ね合わされた際に互に対向する面の、少なくとも全周縁部とその近傍を含む互の対向面に、
互に係合係止される面ファスナーが取り付けられているネット状構造物に取り付けられるシート状の伝達、周知用の表示媒体。
【請求項４】
互に係合係止される面ファスナーの各係合子が、合成樹脂製の茸状突子であり、その傘部が係合部とされている請求項２または請求項３記載のシート状の伝達、周知用の表示媒体。
【請求項５】
互に係合係止される面ファスナーの一方のファスナー片の合成樹脂製の茸状突子が、縦横方向において直線上に整列配置されており、他方のファスナー片の合成樹脂製の茸状突子が、少なくとも縦横何れか一方の方向において曲線上に整列配置されている請求項４記載のシート状の伝達、周知用の表示媒体。
【請求項６】
同一形状の２枚のシート状の伝達、周知用の表示媒体が、ネット状構造物を間に挟んで重ね合わされ、該２枚のシート状の表示媒体の互に対向する重ね合わせ面に取り付けられている面ファスナーの係合子が、ネット状構造物の網目を通して係合係止されているネット状構造物。
【発明の詳細な説明】
【０００１】
【発明の属する技術分野】
本発明は、諸学校の運動場、ゴルフ練習場やスポーツ施設等に設けられている防球ネット、各種建設現場に仮設されている落下物防護ネット、遊園地や観光地に設けられる危険防止ネット或は各種施設における立ち入り禁止用の金網フェンス等のネット状構造物に、シート状の伝達、周知用の表示媒体を、それぞれの材質、形状、構造とは無関係に、簡単、確実かつ強固に、しかも着脱自在に取り付ける方法と、使用される表示媒体と、該媒体の取り付けられたネット状構造とに関する。
【０００２】
【従来の技術】
前述の各種ネット構造物の一例であるゴルフ練習場の繊維製の防球ネットに距離、目標等の伝達、周知用の表示媒体を取り付ける従来の手段を、図１３ないし図１７について説明すると、表示媒体たる合成樹脂シート製の図柄である表示媒体Ａを、防球ネットＢに取り付ける際、第１工程として、表示媒体Ａを繊維製の取付用ネットＣの外表面に載置し、表示媒体Ａの周縁Ｄをジグザグ縫い等のミシン縫い目Ｅで取付用ネットＣに縫着し、次いで第２工程として表示媒体Ａが縫着された取付用ネットＣを、防球ネットＢの表示媒体Ａの固着部位表面に載置し、再びジグザグ縫い等のミシン縫目Ｆで、取付用ネットＣの周縁Ｇを防球ネットＢに縫着するという手段が一般的に行われている。
【０００３】
図１３ないし図１７に示した手段でも２回ジグザグ縫いの工程を要し、表示媒体Ａの交換の際には、ジグザグ縫い等のミシン縫目Ｆの除去と、再度の２回の縫着工程とを必要とし、長い作業時間と加工費用の高騰をまぬがれ問題を有している。
【０００４】
更に防球ネットＢに取付用ネットＣが重ねられることにより、防球ネットＢの透光性がその部分だけ損われ、美観が損われる問題も生ずる。
【０００５】
前記表示媒体Ａが打球目標の場合は取付用ネットＣの縫着位置は１箇所で済むが、ゴルフ練習場名が表示媒体Ａとされる場合には、その字数だけ取付用ネットＣが防球ネットＢに縫着される結果として、風圧の影響が大となり、防球ネットＢが常に揺れ動き、気持の集中が損われる等の問題も生ずる。
【０００６】
金網を利用したネット構造物の場合には表示媒体Ａの取り付け、取り外しの工程が著しく増大するのみでなく、風圧の影響も著大となるため、ネット構造物の設置構造も、最大風圧を考慮して設計する必要が存し、既存の金網ネット構造物への表示媒体Ａの後付けは不可能となる問題も存し、これ等の問題点は、すべてのネット状構造物への伝達、周知用の表示媒体の取り付けについて存在する。
【０００７】
【発明が解決しようとする課題】
前記従来技術の問題点に鑑み、本発明は、ネット状構造物へのシート状の伝達、周知用の表示媒体の取り付けが、簡単かつ容易であり、その材質も金属板から合成樹脂板等まで自由に選択でき、取付強度も面ファスナー自体の結合強度によって自由に設定でき、外観も良好であり、しかもいかなる材質のネット状構造物及びシート状の伝達、周知用の表示媒体にも適用できると共に、クッション材の挟着も可能な方法と構造とを提供することを課題としている。
【０００８】
【課題を解決するための手段】
前記課題を解決するため、請求項１の発明では、ネット状構造物に対する、シート状の伝達、周知用の表示媒体の取付方法を、同一形状の２枚の前記シート状の表示媒体が重ね合わされた際の互の対向する面における少なくとも全周縁部とその近傍の対向面とに、互に係合する面ファスナーがそれぞれ固着されている該同一形状の２枚のシート状表示媒体を、ネット状構造物を間に挟んで該ネット状構造物の表裏両面から重ね合わせて圧着し、ネット状構物の網目を通して前記面ファスナーを互に係合させ、同一形状の前記２枚のシート状の表示媒体をネット状構造物の表裏両面に取り付けるという構成とした。
【０００９】
請求項２の発明では、請求項１の発明の実施に使用する同一形状の２枚のシート状の表示媒体を、互に対向する面の全面に取り付けられている面ファスナーによりネット状構造物に取り付ける構成とした。
【００１０】
請求項３の発明では、請求項１の発明の実施に使用するシート状の表示媒体を、同一形状の２枚のシート状の表示媒体の、重ね合わされた際に互に対向する面の、少なくとも全周縁部とその近傍を含む互の対向面に、互に係合係止される面ファスナーが取り付けられているという構成とした。
【００１１】
請求項４の発明では、請求項２及び請求項３の両発明に、互に係合係止される面ファスナーの各係合子が、合成樹脂製の茸状突子であり、その傘部が係合部とされているという構成要件を付加した。
【００１２】
請求項５の発明では、請求項４の発明に、互に係合係止される面ファスナーの一方のファスナー片の合成樹脂製の茸状突子が、縦横方向において直線上に整列配置されており、他方のファスナー片の合成樹脂製の縦横両方向に配列された茸状突子が、少なくとも縦横何れか一方の方向において、曲線上に整列配置されているという構成要件を付加した。
【００１３】
請求項６の発明では、ネット状構造物を、同一形状の２枚のシート状の表示媒体が、ネット状構造物を間に挟んで重ね合わされ、該２枚のシート状の表示媒体の互に対向する重ね合わせ面に取り付けられている面ファスナーの係合子が、ネット状構造物の網目を通して係合係止されているという構成要件のものとした。
【００１４】
【発明の実施の形態】
図１、図２、図４ないし図９は、請求項１、請求項２、請求項４、請求項５及び請求項６の各発明を併せ適用した実施の一例を示しており、図３及び図１０は、この実施の一例における請求項２の発明を請求項３の発明に置換した実施例を示しており、図１１及び図１２は、前記２実施例によって形成されたネット状構造物の各異別の実施例の要部の正面外観図である。
【００１５】
特許請求の範囲の各請求項の発明における同一形状の２枚シート状の表示媒体とは、図１に示す表シート１、表シート１と同一形状の裏シート２で構成され、表シート１と裏シート２とは、重ね合わされた際に、互に対向する面３、４に、図５、図９、図１０に示されるごとく面ファスナー５、６がそれぞれ固着されている。図２、図３においてハッチング部分は裏シート２の面ファスナー６を略示している。
【００１６】
各図において２枚のシート状の表示媒体たる表シート１と裏シート２とは、一例として同一形状の鳥形とされているが、いかなる図形、文字等であってもよいことは勿論であり、図１１では文字とされ、図１２では校章として表示されている。
【００１７】
また面ファスナー５、６は、請求項２の発明では同一形状の表シート１と裏シート２との互の対向する面の全面に取り付けられているが、図３に示されるごとく、互に対向する面の、少なくとも全周縁部７とその近傍８を含む対向面であっても良く、その幅Ｗは必要とされる取付強度が充足される範囲で選定される。
【００１８】
同一形状の２枚のシート状の表示媒体たる表シート１と裏シート２との、重ね合わせれた際に互に対向する面に取り付けられ、互に係合係止する各係合子の構造としては、屋内施設であるネット状構造物で、強風雨に曝されたり、強い外力の作用を受けることの無い施設の場合には、ネットの厚さを超えて係合係止するループとフックとよりなる面ファスナーでも良いが、屋外施設のごとく、強風雨に曝されたり、強い外力の作用を受ける可能性の大きい使用態様では、請求項４の発明に係る図５に示されるところの、面ファスナー５、６の各係合子が、合成樹脂製の茸状突子９であり、その傘部１０が係合部とされている面ファスナーが好ましい。この種の面ファスナーとしては住友スリーエム株式会社の登録商標デュアルロックと称される面ファスナーが代表的に存在する。
【００１９】
図５において、面ファスナー５、６は両面接着層１１、１２を介して、表シート１と裏シート２とに接着されている。
【００２０】
請求項１の発明では、既述のごとく、同一形状の２枚のシート状の伝達、周知用の表示媒体たる表シート１と裏シート２とを、図９に示すごとく、ネット状構造物１３の表裏両面から、該構造物１３を間に挟んで重ね合せて圧着し、図４、図９に示すごとくネット状構造物１３の網目１４を通して前記面ファスナー５、６を茸状突子９の傘部１０同士で係合させ、表シート１と裏シート２とを図４、図９に示すごとくネット状構造物１３の表裏両面に取り付ける。
【００２１】
図５及び図６に示す実施例の場合、前記ネット状構造物１３の網目１４を形成している紐条または線条１５は、図６に模型的に示すごとく、茸状突子９の傘部１０間に係止され、茸状突子９の幹部による側圧と、傘部１０による表裏双方からの係止とにより強固に面ファスナー５、６間に係止され、この係止がシート状の表示媒体たる表シート１と裏シート２との対向面全体或は全周縁部７とその近傍８との対向面に位置する線条１５の全部に作用するので、その係止力は著しく強力となる。
【００２２】
面ファスナーが、請求項４の発明により茸状突子９とその傘部１０とで形成されている場合に、該茸状突子９の配置は、面ファスナー５、６の双方が図７に示すごとく縦横方向において直線上に整列配置されていても良いが、請求項６の発明により、面ファスナー５、６の何れか一方を図７に示す直線上の整列配置とし、他方の面ファスナーの茸状突子９を図８に示すごとく、縦または横の何れか一方の方向において曲線上に整列配置してもよい。
【００２３】
この図８に示す茸状突子９の曲線上の整列配置と、図７に示す茸状突子９の直線上の整列配置との組み合わせ面ファスナーの場合、ネット状構造物１３の１本の紐条または線条１５に対して係合係止作用を生ずる茸状突子９の前記整列線が曲線の左右に分散されるので、茸状突子９の倒曲による係止不十分な部分の発生の可能性を減少させうる。
【００２４】
図３及び図１０に示す実施例では、同一形状の２枚のシート状の表示媒体を重ね合せた際に互に対向する面の、全周縁部７とその近傍８とを含む部分にのみ互に係合係止される面ファスナー１６、１７を固着しているが、この実施例では、屋内運動場内の防護ネット、屋内展示場の展示用ネット構造物のごとく強風雨に曝されたり、強い外力の作用を受けることが無く、シート状の表示媒体の交換も比較的短期間で行われるような使用態様に適しているが、前記面ファスナーが取り付けられていない領域を利用してクッション材を挟着することもできる。
【００２５】
図１１、図１２は請求項６の発明のそれぞれ異なる実施品たるネット状構造物１８、１９を示しており、図１１ではシート状の表示媒体は個々に独立した文字であり、図１２では１個の校章であるが、これ等のシート状の表示媒体の構造、ネット状構造物１８、１９と該媒体との取付構造は、既述の実施例のものと全く同一である。
【００２６】
【発明の効果】
請求項１の発明によると、危険、注意事項、或は距離、目標等の伝達、周知化を図ったり、街メディアとして企業の特質の周知化の手段等として、一般大衆に注目させ、興味を持たせ、記憶させ、繰り返し注目させうる斬新なシート状の表示媒体が形成されているネット状構造物を、比較的容易かつ短時間で形成できる効果を奏する。
【００２７】
また伝達、周知用の表示媒体たる同一形状の２枚のシートをネット状構造物を間に挟んで面ファスナーで係合係止するのみで、該媒体とネット状構造物との固着が完了するため、該媒体の外周部に余分な取付構造部材の形成工程が不要となり、伝達、周知用の表示媒体の取り付けられたネット状構造物の製法、前記媒体の位置移動、変更、更新等を、自由に、ネット構造物を損傷させずに行え、しかも作業時間の短縮、経費の節減を図りうる効果も奏する。しかも前記媒体の材質は自由に選定できる利点も有する。
【００２８】
請求項２の発明によると、同一形状の伝達、周知化用の２枚のシート状の表示媒体が重ね合わされた際に、互に対向する面の全面に、互に係合する面ファスナーが取り付けられているので、該媒体の周縁のまくれ等を生ずることなく、該媒体とネット状構造物とを一体物のごとく結合させうる効果を奏する。
【００２９】
請求項３の発明によると、２枚のシート状の表示媒体の重ね合わされたとき互に対向する面の、少なくとも全周縁部とその近傍を含む互の対向面に面ファスナーが取り付けられ、この面ファスナー取付部の中央域は面ファスナー無しの領域としうるので、該媒体を着色透明体とする手段などで、該媒体に看者の注意を喚起する副次的機能をも持たせたり、この中央域を利用してクッション材をネット状構造物に重ねて挟着することにより、該構造物の、人体との接触部位の危険防止、打撃練習場やゴルフ練習場のネットに取り付けた標的の打撃音の吸収消去を図ることが可能となる効果も奏する。
【００３０】
請求項４の発明によると、互に係合係止される面ファスナーの各係合子が合成樹脂製の茸状突子であり、その傘部が係合部とされているので、面ファスナーとしての係合力が著しく大きく、その各係合子の寸法も大小、如何様にも製作し、提供できるので、ネット状構造物を構成している紐条、線条の太さ、硬さ等に対応したシート状の表示媒体を簡単、容易に提供できる効果を奏する。
【００３１】
請求項５の発明によると、一方のファスナー片の茸状突子が縦横方向において直線上に整列配置され、他方の茸状突子が、少なくとも縦横何れか一方の方向において、曲線上に整列配置されているので、ネット状構造物を形成している紐条、線条と前記茸状突子との係合係止位置が、特定列の茸状突子列に片寄り、長期間の使用時に、該列の茸状突子にへたり等が生ずるのを良好に防止できる効果を奏する。
【００３２】
請求項６の発明によると、ネット状構造物の表裏両面の同一位置に、危険、注意事項、距離、目標等の伝達周知化を図るシート状の表示媒体のみが表示され、該媒体内及びその周囲に、該媒体固着用の構造が全く存在しないという斬新なネット状構造物となるので、注目させ、興味を持たせ、記憶させ、繰り返し見させるという最大の効果を、少ない経費で達成できるネット状構造物を提供できる効果を奏する。
【図面の簡単な説明】
【図１】表側のシート状の表示媒体の正面図である。
【図２】裏側のシート状の表示媒体の背面図である。
【図３】別の実施例たる裏側のシート状の表示媒体背面図である。
【図４】図１、図２に示されるシート状の表示媒体の取り付けられたネット状構造物の要部のみの正面図である。
【図５】面ファスナーで互に係合係止されたシート状の表示媒体の一例の略示縦断面図である。
【図６】図５に示すシート状の表示媒体とネット状構造物との取付状態の一例の略示縦断面図である。
【図７】茸状突子の縦横方向の直線上における整列配置を示す略示平面図である。
【図８】茸状突子の縦方向曲線上における整列配置を示す略示平面図である。
【図９】シート状の表示媒体の対向面全体に茸状突子が形成されている場合の、ネット状構造物との取付状体を示す略示縦断面図である。
【図１０】シート状の表示媒体の全周縁部とその近傍にのみ茸状突子が形成されている場合の、ネット状構造物との取付状態を示す略示縦断面図である。
【図１１】シート状の表示媒体の一例の取り付けられたネット状構造物の略示正面図である。
【図１２】シート状の表示媒体の別の例の取り付けられたネット状構造物の略示正面図である。
【図１３】従来方法で固定されるシート状の表示媒体の平面図である。
【図１４】図１３に示されるシート状の表示媒体の取付用ネットの斜面図である。
【図１５】図１３に示されるシート状の表示媒体の取付用ネットへの縫着構造を示す斜面図である。
【図１６】図１５に示される取付用ネットの縫着された防球ネットの要部の略示平面図である。
【図１７】図１６に示される防球ネットの中央部分の略示縦断面図である。
【符号の説明】
１　シート状の表示媒体の表シート
２　シート状の表示媒体の裏シート
３、４　互に対向する面
５、６、１６、１７　面ファスナー
７　全周縁部
８　近傍
９　茸状突子
１０　傘体
１３、１８、１９　ネット状構造物
１４　網目
【図１】
2004013057.tif 000003
【図２】
2004013057.tif 000004
【図３】
2004013057.tif 000005
【図４】
2004013057.tif 000006
【図５】
2004013057.tif 000007
【図６】
2004013057.tif 000008
【図７】
2004013057.tif 000009
【図８】
2004013057.tif 000010
【図９】
2004013057.tif 000011
【図１０】
2004013057.tif 000012
【図１１】
2004013057.tif 000013
【図１２】
2004013057.tif 000014
【図１３】
2004013057.tif 000015
【図１４】
2004013057.tif 000016
【図１５】
2004013057.tif 000017
【図１６】
2004013057.tif 000018
【図１７】
2004013057.tif 000019